【事件の表示】
　特許第３２４４１８８号「エンボス化粧シートおよびその製造方法」の請求項１ないし４に係る特許に対する特許異議の申立てについて、次のとおり決定する。
【結　論】
　訂正を認める。
　特許第３２４４１８８号の請求項１ないし４に係る特許を維持する。
【理　由】
Ｉ．手続の経緯
　本件特許第３２４４１８８号は、平成４年１月３１日に特許出願され、平成１３年１０月２６日にその特許権の設定がされ（請求項の数４）、その後、特許異議申立人 大日本印刷株式会社から特許異議の申立てがされ、平成１５年４月２日付けで特許取消の理由が通知され、その指定期間内である平成１５年４月２８日付けで意見書が提出されるとともに、訂正請求がされた後、平成１５年６月２４日付けで再度特許取消の理由が通知され、その指定期間内である平成１５年７月２５日付けで意見書が提出され、更に、平成１５年９月９日付けで再度特許取消の理由が通知され、その指定期間内である平成１５年１０月９日付けで意見書が提出されたものである。
　
II．訂正の適否についての判断
１．訂正の内容
ア：訂正事項ａ
　特許請求の範囲の請求項１〜４を、
「【請求項１】　住宅や店舗等の窓ガラスに貼設する装飾用のエンボス化粧シートであって、電子機械的彫刻によりセル形状が四角錐状に形成された凹部を有するエンボス版を用いて、透明な合成樹脂シートの表面に、上に凸の四角錐状のエンボスが、線数１００〜２５０線／インチの所定の規則的な配置で形成されて、連続階調を有する柄のエンボスが付与されており、光により複雑に輝度感が変化する干渉色を呈することを特徴とするエンボス化粧シート。
【請求項２】　前記透明な合成樹脂シートは少なくとも２層の透明な合成樹脂層をラミネートしてなり、該透明な合成樹脂層間に絵柄印刷層を有することを特徴とする請求項１記載のエンボス化粧シート。
【請求項３】　住宅や店舗等の窓ガラスに貼設する装飾用のエンボス化粧シートの製造方法であって、電子機械的彫刻によりセル形状が四角錐状に形成された凹部を有するエンボス版を作製し、次いで透明な合成樹脂シートの表面に、この作製したエンボス版を用いてエンボスを施すことにより、合成樹脂シートの表面に、光により複雑に輝度感が変化する干渉色を呈するように、上に凸の四角錐状のエンボスを、線数１００〜２５０線／インチの所定の規則的な配置で形成して、連続階調を有する柄のエンボスを付与することを特徴とするエンボス化粧シートの製造方法。
【請求項４】　いずれかの層の上に絵柄印刷層を設けた少なくとも２層の透明な合成樹脂層を前記絵柄印刷層を内面側にしてラミネートしながら表面にエンボスを施すことを特徴とする請求項３記載のエンボス化粧シートの製造方法。」と訂正する。
　
イ：訂正事項ｂ
　明細書の段落０００５〜０００８を、
「【０００５】
【課題を解決するための手段】
　上記目的を達成するために、請求項１の発明に係るエンボス化粧シートは、住宅や店舗等の窓ガラスに貼設する装飾用のエンボス化粧シートであって、電子機械的彫刻によりセル形状が四角錐状に形成された凹部を有するエンボス版を用いて、透明な合成樹脂シートの表面に、上に凸の四角錐状のエンボスが、線数１００〜２５０線／インチの所定の規則的な配置で形成されて、連続階調を有する柄のエンボスが付与されており、光により複雑に輝度感が変化する干渉色を呈することを特徴とする。
【０００６】
　請求項２の発明に係るエンボス化粧シートは、請求項１において、透明な合成樹脂シートが少なくとも２層の透明な合成樹脂層をラミネートしてなり、該透明な合成樹脂層間に絵柄印刷層を有することを特徴としている。
【０００７】
　また、請求項３の発明に係るエンボス化粧シートの製造方法は、住宅や店舗等の窓ガラスに貼設する装飾用のエンボス化粧シートの製造方法であって、電子機械的彫刻によりセル形状が四角錐状に形成された凹部を有するエンボス版を作製し、次いで透明な合成樹脂シートの表面に、この作製したエンボス版を用いてエンボスを施すことにより、合成樹脂シートの表面に、光により複雑に輝度感が変化する干渉色を呈するように、上に凸の四角錐状のエンボスを、線数１００〜２５０線／インチの所定の規則的な配置で形成して、連続階調を有する柄のエンボスを付与することを特徴とする。
【０００８】
　さらに、請求項４の発明に係るエンボス化粧シートの製造方法は、請求項３において、いずれかの層の上に絵柄印刷層を設けた少なくとも２層の透明な合成樹脂層を前記絵柄印刷層を内面側にしてラミネートしながら表面にエンボスを施すことを特徴としている。」と訂正する。
 　
２．訂正の目的の適否、新規事項の有無及び拡張・変更の存否
　上記訂正事項ａ．は、訂正前の特許明細書の段落０００１の「本発明は、住宅や店舗等の窓ガラスに貼設する装飾用のエンボス化粧シートおよびその製造方法に関するものである。」及び段落００１８〜００１９の「【実施例】…厚さ0.08mmの透明塩化ビニル樹脂シート（可塑剤10重量部含有）の一方の面にグラビアインキ…を用いて連続階調を有する抽象柄模様を印刷し、このシートに別の厚さ 0.1mmの透明塩化ビニル樹脂シート（可塑剤15重量部含有）を図３に示す方法でドライラミネートしながらエンボスを施して本発明のエンボス化粧シートを作製した。」との記載に基づき、エンボス化粧シートの用途を「住宅や店舗等の窓ガラスに貼設する装飾用」に限定するとともに、合成樹脂シートを「透明な」ものに限定するものであり、特許請求の範囲の減縮を目的とするものであって、また、願書に添付した明細書に記載した事項の範囲内のものであり、かつ、実質上特許請求の範囲を拡張し、又は変更するものではない。
　上記訂正事項ｂ．は、訂正した特許請求の範囲の記載に整合させるため、明細書の発明の詳細な説明の対応箇所を訂正するものであり、明りょうでない記載の釈明を目的とするものであって、願書に添付した明細書又は図面に記載した事項の範囲内のものであり、かつ、実質上特許請求の範囲を拡張し、又は変更するものではない。
 　
３．まとめ
 　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の同法第１２６条第１項ただし書、第２項及び第３項の規定に適合するので、当該訂正を認める。
　
III．特許異議の申立について
１．本件特許発明
　II．で述べたとおり、本件訂正を認めるから、本件特許の請求項１〜４に係る発明（以下それぞれ、「訂正発明１」〜「訂正発明４」という。）はそれぞれ、訂正明細書の特許請求の範囲の請求項１〜４に記載されるとおりの以下のものである。
「【請求項１】　住宅や店舗等の窓ガラスに貼設する装飾用のエンボス化粧シートであって、電子機械的彫刻によりセル形状が四角錐状に形成された凹部を有するエンボス版を用いて、透明な合成樹脂シートの表面に、上に凸の四角錐状のエンボスが、線数１００〜２５０線／インチの所定の規則的な配置で形成されて、連続階調を有する柄のエンボスが付与されており、光により複雑に輝度感が変化する干渉色を呈することを特徴とするエンボス化粧シート。
【請求項２】　前記透明な合成樹脂シートは少なくとも２層の透明な合成樹脂層をラミネートしてなり、該透明な合成樹脂層間に絵柄印刷層を有することを特徴とする請求項１記載のエンボス化粧シート。
【請求項３】　住宅や店舗等の窓ガラスに貼設する装飾用のエンボス化粧シートの製造方法であって、電子機械的彫刻によりセル形状が四角錐状に形成された凹部を有するエンボス版を作製し、次いで透明な合成樹脂シートの表面に、この作製したエンボス版を用いてエンボスを施すことにより、合成樹脂シートの表面に、光により複雑に輝度感が変化する干渉色を呈するように、上に凸の四角錐状のエンボスを、線数１００〜２５０線／インチの所定の規則的な配置で形成して、連続階調を有する柄のエンボスを付与することを特徴とするエンボス化粧シートの製造方法。
【請求項４】　いずれかの層の上に絵柄印刷層を設けた少なくとも２層の透明な合成樹脂層を前記絵柄印刷層を内面側にしてラミネートしながら表面にエンボスを施すことを特徴とする請求項３記載のエンボス化粧シートの製造方法。」
　
２．特許異議の申立ての理由の概要及び特許取消通知の理由の概要
（１）特許異議の申立ての理由の概要
　特許異議申立人は、以下の甲第１〜４号証及び参考資料１、２を提出して、訂正前の本件特許の請求項１〜４に係る発明の特許は、以下の理由１〜３により、取り消されるべきものであると主張している。
理由１：訂正前の本件特許の請求項１及び３に係る発明は、甲第１号証に記載された発明であるから、特許法第２９条第１項第３号の規定に該当し、特許を受けることができないものである。
理由２：訂正前の本件特許の請求項１〜４に係る発明は、甲第１〜４号証に記載された発明に基いて当業者が容易に発明をすることができたものであるから、特許法第２９条第２項の規定により、特許を受けることができないものである。
理由３：本件特許明細書には、訂正前の本件特許の請求項１〜４に係る発明の必須の構成要件である「エンボス」が具体的に開示されていないから、本件特許は、特許法第３６条第４項及び第６項の規定に違反してされたものである。
　甲第１号証：特開昭５８−２０３０３７号公報
　甲第２号証：特開昭６１−１５２８７５号公報
　甲第３号証：実願昭５４−３８９４９号（実開昭５５−１３８６０２号）のマイクロフィルム
　甲第４号証：特開昭５７−２９４５５号公報
　参考資料１：荒木正義編「グラビア印刷便覧」（加工技術研究会、昭和５６年７月２５日発行）第４０、９２〜９６ページ
　参考資料２：特公昭５８−１４３１２号公報
　
（２）特許取消通知の理由の概要
（ｉ）平成１５年４月２日付けで通知した特許取消の理由の概要
理由ｉの１：特許異議申立人の主張する理由１と同趣旨である。
理由ｉの２：訂正前の本件特許の請求項２、４に係る発明は、特許異議申立人が提出した甲第１、４号証に記載された発明に基いて当業者が容易に発明をすることができたものであるから、特許法第２９条第２項の規定により、特許を受けることができないものである。
（ii）平成１５年６月２４日付けで通知した特許取消の理由の概要
理由iiの１：発明の詳細な説明には、訂正発明１、３の必須の構成要件である「エンボス」が具体的に開示されていないから、本件特許は、特許法第３６条第４項の規定に違反してされたものである。
理由iiの２：訂正発明１、３は、特許異議申立人が提出した甲第１号証に記載された発明に基いて当業者が容易に発明をすることができたものであるから、特許法第２９条第２項の規定により、特許を受けることができないものである。
（iii）平成１５年９月９日付けで通知した特許取消の理由の概要
理由iiiの１：訂正発明１〜４の必須の構成要件である「連続階調を有する柄」や「エンボスが…所定の規則的な配置」等が不明であるから、請求項１〜４は、発明の構成に欠くことができない事項のみを記載したものでなく、本件特許は、特許法第３６条第５及び６項の規定に違反してされたものである。
理由iiiの２：発明の詳細な説明には、訂正発明１〜４の必須の構成要件である「エンボス」が具体的に開示されていないから、本件特許は、特許法第３６条第４項の規定に違反してされたものである。
　
３．甲号各証等の記載
　甲第１号証には、以下の記載がある。
ア：「基板の表面に所望の模様状に設けられた網点状の凹部と、該凹部以外の平滑面部とからなるエンボス版を用い、熱可塑性合成樹脂シートに熱プレスすることを特徴とする化粧材の製造法。」（特許請求の範囲第４項）
イ：「各凹部は開孔部の形状が円若しくは四角形又はその他の形状であり、又、断面形状はＶ字状、Ｕ字状、凹字状若しくはその他の形状である。このような凹部はそのピッチが例えば１００線／ｉｎｃｈないし３００線／ｉｎｃｈであり、所望の模様状に、又、必要により各凹部の孔径若しくは深さを模様に合わせて変化させてある。
　以上のようなエンボス版の製造法について述べれば（イ）電子製版方式、（ロ）コンベンシヨナル方式、及び（ハ）網グラビア方式等によつて行なうことができ、（イ）においては電子製版機（ドクター、ルドルフ、ヘル社製、「ヘリオクリツシヨグラフ」等）を用いて原稿の濃度に応じた凹部をカツターヘツドにより自動彫刻する」（第２ページ右上欄第１〜１５行）
ウ：「上記各手法により得られるエンボス版の艶について述べると、（イ）ないし（ハ）のいずれの手法によつても、通常は凹部の艶の方が凹部以外の、即ち平滑面部の艶よりも消えている。しかしながら…艶は所望により変えることが出来る。
　又、凹部の艶を平滑面部よりも消しておくと、このようなエンボス版を用いて得られるエンボスシートは模様が網点状の凸部から形成されているが凸部の艶によつては凸部と見えたり或いは凸部の艶が平滑面部よりも消えているときは凹部と見えるようにすることもできる。」（第２ページ左下欄第１〜１６行）
エ：「熱可塑性合成樹脂シートとしてはポリ塩化ビニル樹脂、アクリル樹脂…等のいわゆる熱可塑性合成樹脂のシート若しくはフイルムや合成紙等が使用でき、単層若しくは複層のものや、印刷の施してあるものでもよい。エンボス版を用いて以上のようなシートに熱プレスするには…ロール状の型ロールを用いるときはゴムロール、モルトンロール等と対向させた間にシートを通して型ロール若しくはシートを加熱しつつ加圧して行なうとよい。」（第２ページ左下欄第２１行〜右下欄第１５行）
　
　甲第２号証には、以下の記載がある。
オ：「色分解された白黒連続調の反射原稿又は白黒透過原稿を原紙とするヘリオクリシヨグラフ法にて電子彫刻された彫刻シリンダーもしくは彫刻板における彫刻模様を、少なくとも片側表面が離型性面とされている離型シート基体の前記離型性面に、加熱、加圧法にて転写することを特徴とする合成皮革製造用転写シートの製造方法。」（特許請求の範囲）
カ：「ヘリオクリシヨグラフ法による電子彫刻製版は、先端が角錐体をなしているダイヤモンド針を彫刻ヘツド用の針として利用し、原紙における光透過率の大、小に応じた光電流の強、弱によつて前記彫刻ヘツドの針による切り込み深さが制御されるような機構の彫刻法で、ヘリオクリシヨグラフによる彫刻印部たる微小凹部群における凹部が、内部に向かつて収斂する角錐体形状に形成されるものである。従って、前記第１工程では、原紙が具備する白黒連続調の反射または白黒透過が、微小凹部群を構成する凹部の深さと内部に向かって収斂する角錐体形状からなる凹部の開口部面積の大きさとに極めて忠実に変換されて彫刻シリンダーもしくは彫刻板に具現されるという特徴を有している。」（第２ページ左下欄第３〜１７行）
　
　甲第３号証には、以下の記載がある。
キ：「厚さ１ｍｍ以下の合成樹脂製シートを用いて凸面又は凹面に細工した底面一辺が０．５ｍｍ以下である三角錐形又は四角錐形をもつ光干渉性プリズムシート。」（実用新案登録請求の範囲）
ク：「底面の一辺が０．５ｍｍ以下の三角錐形又は四角錐形の微細な凸面又は凹面に細工した集合から構成されているため反射光　の干渉作用が激しく、従来見られない反射光度のものが得られる。
すなわち、従来法に見られる画一的な凸凹模様のシートを用いた場合の数倍〜１００倍の反射光が得られる」（第１ページ第１５行〜第２ページ第２行）
　
　甲第４号証には、以下の記載がある。
ケ：「透明性を有する熱可塑性フィルムに艶調整をした紫外線硬化型塗料を塗布する第一工程、被塗物を冷却しつつ紫外線により硬化をさせる第二工程、被塗物を硬化させた後、着色又は／及び印刷を施した熱可塑性フィルム上に該フィルムを熱融着させると同時にエンボスロールを用いてエンボスを施す第三工程よりなる連続工程によって製造することを特徴とするウェブ状の化粧フィルムの製造方法。」（特許請求の範囲第１項）
　
　参考資料１には、以下の記載がある。
コ：「４−２　彫刻の機構
　ヘリオの原版ネガ又ポジフィルムより彫刻までの信号経路をみてみると…原稿ドラム上にセットされた原稿ネガ又ポジ（色分解された白黒連続調の反射原稿又白黒透過原稿）を走査、反射濃度変化を微細な電流の強弱に変化したものを増幅、さらにデータをアナログからデジタルに変化後、…ダイヤモンド針でシリンダー表面に彫刻が行われる。」（第９４ページ右欄第１〜９行）
サ：「４−２−２　彫刻側の機構…彫刻シリンダーの表面にセル（図４−１１）を彫刻する。…彫刻されるセル形状は３種類（０、１、２）があり、これを使い分けることにより印刷時のモアレ発生を防止する。」（第９６ページ右欄第１〜２９行）
シ：「図４−１１　彫刻セル形状」として、アングル０、アングル１及びアングル２の四角形形状が図示されている。
　
　参考資料２には、以下の記載がある。
ス：「着色熱可塑性シートの表面に印刷模様層が設けられ、該着色熱可塑性シート上に上記印刷模様層を挟んで透明熱可塑性シートが積層され、上記透明熱可塑性シートと着色熱可塑性シートの積層物に凹陥模様がエンボスされ、該凹陥模様の凹部には着色剤が充填され…化粧シート。」（特許請求の範囲の第１項）
　
４．当審の判断
４−１．明細書の記載不備の有無について
　特許異議申立人は、「連続階調を有する柄のエンボス」及び「光により複雑に輝度感が変化する干渉色を呈する」ためのエンボスが具体的にどのようなエンボスなのか（形状や高さや大きさなど）が、本願明細書の発明の詳細な説明で明らかにされていないから、当業者が容易に発明を実施することができない旨（主張１）、並びに、「連続階調を有する柄のエンボス」及び「光により複雑に輝度感が変化する干渉色を呈する」は単なる効果の記載であり発明の構成要件ではない旨（主張２）を述べている。
（ａ）「連続階調を有する柄のエンボス」について
　特許異議申立人が提示した甲第２号証の上記摘示オ、カや参考資料１の上記摘示コにも示されるように、ヘリオクリシヨグラフ法などの電子機械的彫刻においては、連続調の模様を色分解して白黒の濃淡すなわち階調を有する原稿を、角錐体形状の凹部の深さと開口部面積の大きさに極めて忠実に変換できるものであることが当業者に広く知られているから、本件特許明細書に、エンボスの個々の形状や高さや大きさの具体的な数値が記載されていないとしても、当業者であれば格別の困難なく、電子機械的彫刻における「連続階調を有する柄のエンボス」を選定することができるものと認められ、該エンボスが付与されたエンボス化粧シートも具体的に想定できると認められる。したがって、エンボス化粧シートにおける「連続階調を有する柄のエンボス」は、発明の構成要件としてそれ自体明確であり、かつ、発明の詳細な説明の記載では、「連続階調を有する柄のエンボス」を当業者が容易に実施することができないということもできない。
（ｂ）「光により複雑に輝度感が変化する干渉色を呈する」について
　次に、本件訂正発明１〜４は、抽象柄や木目柄など連続階調を有する柄を原版として、電子機械的彫刻により形成された四角錐状の微細な凹部を有するエンボス版を用いて、透明な合成樹脂シートの表面に、線数１００〜２５０線／インチの所定の規則的な配置で上に凸のエンボスを付与したエンボス化粧シートであって、かつ、住宅や店舗等の窓ガラスに貼設する装飾用のシートに係るものであるから、当業者によく知られている光により干渉色を呈する波動光学上の原理を踏まえれば、窓ガラスからの光、連続階調を有する柄及び所定の微細エンボスにより生じ得る干渉、とが重畳して、「光により複雑に輝度感が変化する干渉色を呈する」ものであると認められる。したがって、エンボス化粧シートに係る発明において、「光により複雑に輝度感が変化する干渉色を呈する」ことは、シートを特定する要件として格別不適切なものではなく、また、発明の詳細な説明には、電子機械的彫刻による所定のエンボスの規則的な配置という技術的手段についても記載があるから、当業者が容易に発明を実施することができないということもできない。
　よって、特許異議申立人が本件特許明細書の記載不備として指摘する主張１及び２はいずれも採用しない。
　
４−２．特許法第２９条の規定違反の有無について
（１）訂正発明１について
（１−１）甲第１号証に記載された発明及び訂正発明１との対比
　甲第１号証には、熱可塑性合成樹脂シートに熱プレスで、エンボス版を用いて、所望の模様状のエンボスを施した化粧材（摘示ア）の発明が記載されており、さらに、エンボス版の凹部は、ヘリオクリツシヨグラフ等の電子製版により形成された、開孔部形状が四角形で、断面形状がＶ字状（摘示イ）、すなわち四角錐状であり、原稿の濃度に応じて彫刻され、また、例えば１００〜３００線／インチのピッチで、各凹部の孔径若しくは深さを模様に合わせて変化させてあるものであって、かつ、化粧材にはエンボス版の凹部に対応して凸部が形成されることは当業者に自明であり（摘示ウも参照）、模様と柄は類似の概念のものであるから、
　訂正発明１（以下、「前者」という。）と甲第１号証に記載された発明（以下、「後者」という。）を対比すると、
両者は、「電子機械的彫刻によりセル形状が四角錐状に形成された凹部を有するエンボス版を用いて、合成樹脂シートの表面に、上に凸の四角錐状のエンボスが、線数１００〜２５０線／インチの配置で形成されて、柄のエンボスが付与されているエンボス化粧シート」である点で一致し、
前者が、「住宅や店舗等の窓ガラスに貼設する装飾用」のものであるのに対して、後者ではかかる用途の特定がない点（相違点１）、
合成樹脂シートが、前者では「透明」であるのに対して、後者では透明かどうか不明である点（相違点２）、
前者が、「連続階調を有する柄」のエンボスが付与されたものであるのに対して、後者における柄（すなわち模様）が連続階調かどうか不明である点（相違点３）、
上に凸の四角錐状のエンボスの配置が、前者では、「線数１００〜２５０線／インチの所定の規則的な配置で形成」されているのに対して、後者では、「１００〜２５０線／インチのピッチで、各凹部の孔径や深さが模様に合わせて変化」させられているものである点（相違点４）、及び、
前者のエンボス化粧シートが、「光により複雑に輝度感が変化する干渉色を呈する」ものであるのに対して、後者のものは、凹部と凸部の艶の差異と模様とによる効果は窺えるもののの、「光により複雑に輝度感が変化する干渉色を呈する」かどうかは不明である点（相違点５）、
で相違する。
　
（１−２）特許法第２９条第１項第３号の規定に該当の有無について
　これらの相違点が、実質的な相違点であるかどうかについて更に検討する。
　まず相違点５について検討すると、後者においては、先に述べたとおり、上に凸の四角錐状のエンボスが、線数１００〜２５０線／インチで形成されており、エンボス同士の配置間隔において前者と重複してはいるが、例えば、参考資料１の摘示サにも、彫刻されるセル形状、すなわちエンボス版の凹部の形状の如何によって、モアレ発生が防止されることが記載されているように、光学的な干渉は、仮にエンボス同士の間隔が均一ないし規則的であっても、四角錐の具体的な形状によって発生が左右されることは技術的に明らかであるから、後者のものが「干渉色を呈する」と直ちにいうことはできない。また、相違点４として述べたとおり、後者においては、凹部の孔径が「模様に合わせて変化」させられているから、波動光学の原理に照らし、光学的干渉を生じる可能性が少ないと解されることも踏まえれば、後者における艶の有無と凹凸と柄模様との組合せが、光学的干渉を意図していると解するべき理由もない。
　したがって、後者のものが、「干渉色を呈する」とも、まして「光により複雑に輝度感が変化する干渉色を呈する」とも認めることはできないから、相違点５は、実質的な相違点である。
　よって、相違点１〜３について更に検討するまでもなく、訂正発明１は、甲第１号証に記載された発明ではない。
　
（１−３）特許法第２９条第２項の規定違反の有無
　（１−２）で述べたように、甲第１号証には、エンボス化粧シートを「干渉色を呈する」ものとすること、及び、「住宅や店舗等の窓ガラスに貼設する装飾用」のものとすることについて記載がない。
　そこで、甲第２〜４号証及び参考資料１、２の記載から、（１−１）であげた相違点１〜５が当業者が容易に想到できるか否かを検討する。
　甲第２号証には、摘示オ、カから、白黒連続調の原稿を原紙とするヘリオクリシヨグラフ法による電子彫刻製版を用いて、シート材に微小凹部に由来する彫刻模様を形成することが記載されるが、「所定の規則的な配置で」エンボスを付与すること、「連続階調を有する柄」のエンボスを付与すること、及び「干渉色を呈する」シートとすることについては記載も示唆もない。甲第３号証には、摘示キ、クから、四角錐形の微細な凸面又は凹面を形成した合成樹脂製シートからなる、反射光の干渉作用が激しい、光干渉性プリズムシートが記載されているが、電子機械的彫刻により形成された凹部を有するエンボス版を用いて、連続階調を有する柄のエンボスが付与されたエンボス化粧シートについては記載も示唆もない。さらに、甲第４号証には、化粧フィルムの表面処理方法が、また、参考資料１には、ヘリオクリショグラフ製版法の概論が、参考資料２には、凹陥模様がエンボスされた着色熱可塑性シートが、それぞれ単に記載されているだけであり、電子機械的彫刻により形成された凹部を有するエンボス版を用いて、エンボスが付与されたエンボス化粧シートについては記載も示唆もない。
　したがって、甲第２〜４号証及び参考資料１、２は、先の相違点１〜５を示唆するものではない。
　そして、訂正発明１は、相違点１〜５をあわせ備えることによって、本件明細書に記載のとおり、優れた意匠性が得られ、表面に付いた傷が目立ちにくく、シルク調の独特な手触りと光沢が得られるという顕著な効果を奏するものと認められる。
　よって、訂正発明１は、甲第１〜４号証及び参考資料１、２に記載された発明に基いて当業者が容易に発明をすることができたものではない。
　
（１−４）訂正発明１についてのまとめ
　訂正発明１は、特許法第２９条第１項第３号の規定に該当するものであるとも、同条第２項の規定により特許を受けることができないものであるとも、いずれもいうことができない。
　
（２）訂正発明２について
　訂正発明２は、訂正発明１の発明の構成に欠くことができない事項をすべて含み、さらに、透明な合成樹脂シートについて、これが２層からなり、層間に絵柄印刷層を有するものと更に限定したものであるから、訂正発明１について述べたと同様の理由により、甲第１号証に記載された発明であるとも、甲第１〜４号証及び参考資料１、２に記載された発明に基いて当業者が容易に発明をすることができたものであるともいうことはできない。
　
（３）訂正発明３について
　訂正発明３は、実質的に訂正発明１のエンボス化粧シート製造方法に相当するものと認められるから、訂正発明１について述べたと同様の理由により、甲第１号証に記載された発明であるとも、甲第１〜４号証及び参考資料１、２に記載された発明に基いて当業者が容易に発明をすることができたものであるともいうことはできない。
　
（４）訂正発明４について
　訂正発明４は、訂正発明３の発明の構成に欠くことができない事項をすべて含み、さらに、絵柄印刷層を内面側にしてラミネートされた２層の合成樹脂シートを用いるものと更に限定したものであるから、訂正発明３について述べたと同様の理由により、甲第１号証に記載された発明であるとも、甲第１〜４号証及び参考資料１、２に記載された発明に基いて当業者が容易に発明をすることができたものであるともいうことはできない。
　
IV．むすび
　以上のとおりであるから、特許異議の申立ての理由及び証拠によっては、訂正後の本件の請求項１〜４に係る特許を取り消すことができない。
　また、他に請求項１〜４に係る特許を取り消すべき理由を発見しない。
　よって、結論のとおり決定する。
【異議決定日】
平成１５年１２月２４日（２００３．１２．２４）
【訂正の要旨】
審決（決定）の【理由】欄参照。
（５４）【発明の名称】
エンボス化粧シートおよびその製造方法
（５７）【特許請求の範囲】
　【請求項１】
　
住宅や店舗等の窓ガラスに貼設する装飾用のエンボス化粧シートであって、
透明な
　【請求項２】
　前記
透明な
透明な
透明な
　【請求項３】
　
住宅や店舗等の窓ガラスに貼設する装飾用のエンボス化粧シートの製造方法であって、
透明な
　【請求項４】
　いずれかの層の上に絵柄印刷層を設けた少なくとも２層の
透明な
【発明の詳細な説明】
　【０００１】
　【産業上の利用分野】
　本発明は、住宅や店舗等の窓ガラスに貼設する装飾用のエンボス化粧シートおよびその製造方法に関するものである。
　【０００２】
　【従来の技術】
　エンボス化粧シートとしては、例えば表面に絵柄を有する透明塩化ビニルシートに紫外線硬化型塗料を塗布し、紫外線硬化させた後、表面にエンボスを施したものや、透明塩化ビニルシートを熱でラミネートさせながら表面にエンボスを施すいわゆるダブリングエンボスしたものなどが代表的なものとして従来からよく知られており、これらのエンボス化粧シートは例えば住宅や店舗等の窓ガラスの装飾用などにも広く利用されている。
　【０００３】
　【発明が解決しようとする課題】
　しかしながら、上記従来公知のエンボス化粧シートはその製造に用いるエンボス版をコンベンショナルグラビアあるいは網グラビアの製版手法を用いて製造していたため、原版フィルムをシリンダーに巻き付けた際の端部同志の重なり部分がどうしても生じるのでその部分を目立たないようにその部分の柄のつなぎを手作業で修正する必要があり、製造に手間がかかるという不都合があった。また、従来のエンボス化粧シートは、柄模様は異なっていても表面に形成されたエンボスの形状自体はどれも似かよっているために、表面の手触りや意匠性において他との差別化を図ることは困難であった。
　【０００４】
　本発明はこのような従来の問題点に鑑みなされたもので、その目的とするところは、従来のエンボス化粧シートの製造上の不都合を解決するとともに、従来のものとは十分差別化できるような優れた意匠性を有するエンボス化粧シートおよびその製造方法を提供することにある。
　【０００５】
　【課題を解決するための手段】
　上記目的を達成するために、請求項１の発明に係るエンボス化粧シートは、
住宅や店舗等の窓ガラスに貼設する装飾用のエンボス化粧シートであって、
透明な
　【０００６】
　請求項２の発明に係るエンボス化粧シートは、請求項１において、
透明な
透明な
透明な
　【０００７】
　また、請求項３の発明に係るエンボス化粧シートの製造方法は、
住宅や店舗等の窓ガラスに貼設する装飾用のエンボス化粧シートの製造方法であって、
透明な
　【０００８】
　さらに、請求項４の発明に係るエンボス化粧シートの製造方法は、請求項３において、いずれかの層の上に絵柄印刷層を設けた少なくとも２層の
透明な
　【０００９】
　かかる構成にあって、本発明のエンボス化粧シートは、その表面に上に凸の四角錐状のエンボスが所定の規則的な配置で形成されており、光により複雑に輝度感が変化する干渉色を呈するため、従来のものには見られない優れた意匠性が得られる。
　【００１０】
　以下、本発明を更に詳細に説明する。
　【００１１】
　図１は、本発明のエンボス化粧シートの一構成例を示す断面図である。図１より明らかなように、本構成例によると、合成樹脂層１と合成樹脂層２が積層されて合成樹脂シート３を構成し、これらの合成樹脂層１と２の間に絵柄印刷層４を有し、合成樹脂層２の表面にはエンボス５が形成されている。この表面のエンボス５は図２に拡大斜視図で示したように、上に凸の四角錐状に形成されている。
　【００１２】
　本発明のエンボス化粧シートの本体をなす合成樹脂シート３は図１のような２層若しくはそれ以上の多層構成でも単層構成でもよく、使用する樹脂の種類や必要とするシート全体の厚み等により適宜所望の構成を採ることが可能である。多層構成の場合、各層を接着剤を介してラミネートしてもよいが、使用する樹脂によっては熱によるドライラミネートを行なうことも出来る。かかる合成樹脂シート３全体の厚みとしては、エンボスが可能で、窓ガラス等へ貼り付けて使用する場合の施工性等を考慮すると、０．１〜０．３ｍｍ程度であることが望ましい。
　【００１３】
　本発明の合成樹脂シート３の材質は特に限定されるわけではないが、例えば図１に示すような構成の場合には、後述する如く合成樹脂層１及び２を熱でドライラミネートしながらエンボス５を施すのが好ましい製造方法の１つであり、かかる目的からは各合成樹脂層１及び２の材質として塩化ビニル樹脂、アクリル樹脂、フッ素樹脂等の単体あるいはこれらの共重合体が好ましく、特に塩化ビニル樹脂が好ましい。これらの樹脂中には各種配合剤、例えば可塑剤、安定剤、滑剤、充填剤、着色剤等を含有させることができ、これら配合剤の含有量は樹脂１００に対し５〜２０重量部程度が良い。
　【００１４】
　絵柄印刷層４は公知の印刷手段を用いて容易に形成することが出来る。図１に示すような構成では、絵柄印刷層４は合成樹脂層１と２が接する面のいずれの側に形成しても構わない。
　【００１５】
　合成樹脂シート３表面の上に凸の四角錐状のエンボス５は、電子機械的彫刻によりセル形状が四角錐状に形成された凹部を有するエンボス版を用いて形成することが出来る。電子機械的彫刻は、版胴面を電気信号により彫刻針（ダイヤモンド針）を用いて彫刻するもので、代表的なものは、ヘリオクリッショグラフ（ドイツ，ヘル社）がある。電子機械的彫刻機の原稿シリンダに抽象柄や木目柄など連続階調を有する所望の柄のフィルム原版を装着し、かかる原版の走査によって彫刻シリンダに原版に応じた彫刻が施され、セル形状が四角錐状に形成された凹部を有するエンボス版が得られる。この場合の線数は１００〜２５０線／インチの中から任意に選択される。また、電子機械的彫刻では、前述のエンボス版の柄のつなぎの問題も生じない。
　【００１６】
　本発明のエンボス化粧シートの製造方法を図１に示すような構成の場合をその一例として説明すると、図３を参照して明らかなように、表面に所望の絵柄印刷層４を形成した合成樹脂層１と合成樹脂層とをエンボスロール６（すなわちエンボス版）とバックアップロール７との間を通すことによりドライラミネートしながら合成樹脂層２の表面にエンボス５を形成して本発明のエンボス化粧シートが出来上がる。ラミネート温度は合成樹脂層１及び２が塩化ビニル樹脂の場合には１２０℃〜１６０℃程度が望ましい。エンボスロール６の表面には前述の如くして電子機械的彫刻によりセル形状が四角錐状に形成された凹部８を有し（図４参照）、かかるエンボスロール６を用いてエンボスを施すことにより、合成樹脂層２の表面には前述の図２に示したような上に凸の四角錐状のエンボス５が所定の規則的な配置で形成される。
　【００１７】
　本発明のエンボス化粧シートはその裏面側（エンボス面の反対側）に適当な粘着剤を塗布して所望する窓ガラス等へ貼設される。こうしたエンボス化粧シートは光により複雑に輝度感が変化する干渉色を呈するので、意匠性に大変優れている。
　【００１８】
　【実施例】
　以下、実施例を示して、本発明を具体的に説明する。
　【００１９】
　厚さ０．０８ｍｍの透明塩化ビニル樹脂シート（可塑剤１０重量部含有）の一方の面にグラビアインキ（ＶＣＧＴＫインキ，東洋インキ製造（株）製）を用いて連続階調を有する抽象柄模様を印刷し、このシートに別の厚さ０．１ｍｍの透明塩化ビニル樹脂シート（可塑剤１５重量部含有）を図３に示す方法でドライラミネートしながらエンボスを施して本発明のエンボス化粧シートを作製した。ラミネート温度は１５０℃で、エンボスは電子機械的彫刻により作製した１３７線／インチの抽象柄のエンボス版（図３のエンボスロール６）を用いて行なった。
　【００２０】
　一方、比較例として、公知の網グラビア製版手法により作製した同じ抽象柄のエンボス版を用いてエンボスを行なった以外は上記実施例と全く同様にしてエンボス化粧シートを作製した。
　【００２１】
　出来上がった本発明のエンボス化粧シートは光によって輝度感が複雑に変化する干渉色を呈し、比較のエンボス化粧シートと比べてはるかに意匠性に優れていた。
　【００２２】
　【発明の効果】
　以上詳細に説明したように、本発明のエンボス化粧シートによれば、化粧シートの表面に上に凸の四角錐状のエンボスが線数１００〜２５０線／インチの所定の規則的な配置で形成されているので、光による輝度感が複雑に変化する干渉色を呈するために、従来公知のものには見られない非常に優れた意匠性が得られるという効果を奏する。また、エンボスが上に凸になっているため、表面に付いた傷が目立ちにくく、しかもシルク調の独特な手触りと光沢が得られるという効果も有する。
　【００２３】
　また、本発明のエンボス化粧シートの製造方法によれば、連続階調を有する柄表現も容易にでき、従来製造上の不都合となっていたエンボス版における柄のつなぎの問題も解消できて、本発明のエンボス化粧シートの容易な製造が可能である。